(57)【要約】【課題】コストを削減してメンテナンスを容易にできる空気調和機を提供する。【解決手段】室内ユニット１０に配されて第１通信端子１３ａを有する室内通信部１３と、室外ユニット３０に配されて第２通信端子３３ａを有する室外通信部３３と、所定周期で取得される室内ユニット１０及び室外ユニット３０の運転状況を示す運転状況データを所定期間分記憶して随時更新する第１記憶部１５、３５と、異常発生時に第１記憶部１５、３５に記憶済の運転状況データが書き込まれる不揮発性の第２記憶部１４、３４とを備え、室内通信部１３と室外通信部３３との間で駆動用データを送受信して駆動される空気調和機１において、第１通信端子１３ａまたは第２通信端子３３ａに通信線６と重複して接続される外部機器２から運転状況データの読出し要求があった際に、第２記憶部１４、３４に記憶された運転状況データを駆動用データに付加して送信した。【選択図】図３
2011242085.tif 000002
【特許請求の範囲】
【請求項１】
室内ユニットと、室外ユニットと、前記室内ユニットに配されて第１通信端子を有する室内通信部と、前記室外ユニットに配されるとともに通信線を介して第１通信端子に接続される第２通信端子を有して前記室内通信部と通信を行う室外通信部と、所定周期で取得される前記室内ユニット及び前記室外ユニットの運転状況を示す運転状況データを所定期間分記憶して随時更新する第１記憶部と、異常発生時に第１記憶部に記憶済の前記運転状況データが書き込まれる不揮発性の第２記憶部とを備え、前記室内通信部と前記室外通信部との間で駆動用データを送受信して駆動される空気調和機において、
第１通信端子または第２通信端子に前記通信線と重複して接続される外部機器から前記運転状況データの読出し要求があった際に、第２記憶部に記憶された前記運転状況データを前記駆動用データに付加して前記室内通信部または前記室外通信部から送信することを特徴とする空気調和機。
【請求項２】
前記室内通信部及び前記室外通信部は、前記読出し要求の受領を示すデータを送信した後に、前記運転状況データを付加した前記駆動用データを送信することを特徴とする請求項１に記載の空気調和機。
【請求項３】
第１通信端子または第２通信端子に接続される外部機器から監視要求があった際に、第１記憶部に記憶された前記運転状況データを前記駆動用データに付加して前記室内通信部または前記室外通信部から送信することを特徴とする請求項１または請求項２に記載の空気調和機。
【請求項４】
前記室内通信部及び前記室外通信部は、前記監視要求の受領を示すデータを送信した後に、前記運転状況データを付加した前記駆動用データを送信することを特徴とする請求項３に記載の空気調和機。
【請求項５】
異常発生時に第１記憶部に記憶済の前記運転状況データを第２記憶部に書き込むとともに、所定期間前記運転状況データを取得して第２記憶部に書き込むことを特徴とする請求項１〜請求項４のいずれかに記載の空気調和機。
【請求項６】
請求項１〜請求項５のいずれかに記載の空気調和機と、前記外部機器を構成するパーソナルコンピュータとを備えたことを特徴とする空気調和機システム。
【発明の詳細な説明】
【技術分野】
【０００１】
本発明は、室内ユニットと室外ユニットとを備えた空気調和機及び空気調和機システムに関する。
【背景技術】
【０００２】
従来の空気調和機は異常が発生した場合に、使用者によって電話故障相談受付センター、販売店、サービス店等に修理が依頼される。電話故障相談受付センターでは異常状態や異常状態に至る運転環境等の情報を使用者から直接収集する。販売店やサービス店ではサービスマンが使用者宅へ出向いて異常が発生した空気調和機の状態を確認し、使用者から異常状態に至った経緯などを収集する。
【０００３】
しかしながら、近年の空気調和機は制御が非常に複雑化しているため、異常停止に至る要因は多岐にわたる。このため、異常発生の状態から要因を特定することは困難となっている。また、電話故障相談受付センターに寄せられる情報は一般使用者である顧客からであるため正確ではないことも多く、異常要因の特定を困難にしている。販売店やサービス店でも同様に、空気調和機の構造や電装回路に関してサービスマンによる目視による異常要因の特定は困難である。
【０００４】
上記の問題を解決するために、特許文献１には異常発生時の運転状況データを取得できる空気調和機が開示されている。この空気調和機は室内に配される室内ユニットと室外に配される室外ユニットとを備えたスプリット型に構成される。室内ユニットには各部を制御する室内制御装置（マイクロコンピュータ）が設けられる。室内制御装置には各種のセンサ、室内通信部及びメモリが接続される。
【０００５】
室外ユニットには同様に各部を制御する室外制御装置（マイクロコンピュータ）が設けられる。室外制御装置には各種のセンサ及び室外通信部が接続される。また、室内ユニット及び室外ユニットにはサービス用外部端子が設けられる。
【０００６】
空気調和機の運転が開始されると、室内ユニット及び室外ユニットの各種センサによって検知データが取得される。室外ユニットの各種センサで検知される検知データは室外通信部から送信され、室内通信部で受信される。各検知データには運転状況を示す運転状況データが含まれ、メモリの容量に応じて所定周期で取得される一定量の運転状況データがメモリに記憶されて随時更新される。
【０００７】
室内制御装置は各検知データに基づいて室内ユニットの各部を制御するとともに、室内通信部から制御データを送信する。室外制御装置は室外通信部で受信した制御データに基づいて室外ユニットの各部を制御する。これにより、空気調和機が運転される。
【０００８】
空気調和機の異常が発生した場合にサービスマンによってパーソナルコンピュータ等の外部機器がサービス用外部端子に接続され、運転状況データの転送要求が送信される。空気調和機は転送要求を受信するとメモリに記憶された運転状況データを取り出してサービス用外部端子に送る。これにより、外部機器によって異常が発生した直前の運転状況データを読み出し、異常の内容や原因を迅速に把握してメンテナンスを容易に行うことができる。
【先行技術文献】
【特許文献】
【０００９】
【特許文献１】特許第２９０２７３０号公報（第２頁−第４頁、第８図）
【発明の概要】
【発明が解決しようとする課題】
【００１０】
しかしながら、上記従来の空気調和機によると、異常発生時に運転状況データを取得するためのサービス用外部端子が設けられるため空気調和機のコストが大きくなる問題があった。
【００１１】
本発明は、コストを削減してメンテナンスを容易に行うことのできる空気調和機及びそれを備えた空気調和機システムを提供することを目的とする。
【課題を解決するための手段】
【００１２】
上記目的を達成するために本発明は、室内ユニットと、室外ユニットと、前記室内ユニットに配されて第１通信端子を有する室内通信部と、前記室外ユニットに配されるとともに通信線を介して第１通信端子に接続される第２通信端子を有して前記室内通信部と通信を行う室外通信部と、所定周期で取得される前記室内ユニット及び前記室外ユニットの運転状況を示す運転状況データを所定期間分記憶して随時更新する第１記憶部と、異常発生時に第１記憶部に記憶済の前記運転状況データが書き込まれる不揮発性の第２記憶部とを備え、前記室内通信部と前記室外通信部との間で駆動用データを送受信して駆動される空気調和機において、
第１通信端子または第２通信端子に前記通信線と重複して接続される外部機器から前記運転状況データの読出し要求があった際に、第２記憶部に記憶された前記運転状況データを前記駆動用データに付加して前記室内通信部または前記室外通信部から送信することを特徴としている。
【００１３】
この構成によると、空気調和機の運転が開始されると、室内ユニット及び室外ユニットの各種センサによって検知データが取得される。室外ユニットの各種センサで検知された検知データから成る駆動用データは室外通信部の第２通信端子から通信線を介して送信され、室内通信部の第１通信端子で受信される。室内ユニットは各検知データに基づいて室内ユニットの各部を制御するとともに、室内通信部の第１通信端子から通信線を介して制御データから成る駆動用データを送信する。室外ユニットは室外通信部で受信した駆動用データに基づいて室外ユニットの各部を制御する。これにより、空気調和機が運転される。また、各検知データ及び制御データには運転状況を示す運転状況データが含まれ、第１記憶部の容量等に応じて一定量の運転状況データが第１記憶部に記憶されて随時更新される。
【００１４】
空気調和機の異常が発生すると、第１記憶部に記憶された運転状況データが不揮発性のフラッシュメモリ等の第２記憶部に書き込まれる。サービスマンによってパーソナルコンピュータ等の外部機器が通信線と重複して第１通信端子または第２通信端子に接続され、運転状況データの読み出し要求が送信される。空気調和機は読み出し要求を受信すると第２記憶部に記憶された運転状況データを駆動用データに付加して室内通信部または室外通信部から送信する。これにより、異常が発生した直前の運転状況データが外部機器によって取得される。第１記憶部や第２記憶部は室内ユニット及び室外ユニットの一方に設けてもよく、両方に設けてもよい。
【００１５】
また本発明は、上記構成の空気調和機において、前記室内通信部及び前記室外通信部は、前記読出し要求の受領を示すデータを送信した後に、前記運転状況データを付加した前記駆動用データを送信することを特徴としている。この構成によると、室内ユニットまたは室外ユニットは読み出し要求を受信すると読出し要求の受領を示すデータを送信する。外部機器は読出し要求の受領を示すデータを受信すると読み出し要求を停止し、受信待機状態になる。
【００１６】
また本発明は、上記構成の空気調和機において、第１通信端子または第２通信端子に接続される外部機器から監視要求があった際に、第１記憶部に記憶された前記運転状況データを前記駆動用データに付加して前記室内通信部または前記室外通信部から送信することを特徴としている。
【００１７】
この構成によると、サービスマンによってパーソナルコンピュータ等の外部機器が第１通信端子または第２通信端子に接続され、監視要求が送信される。空気調和機は監視要求を受信すると第１記憶部に記憶された運転状況データを駆動用データに付加して室内通信部または室外通信部から送信する。これにより、空気調和機を運転しながら外部機器によって空気調和機の運転状況データが随時取得され、空気調和機の運転状況が監視される。
【００１８】
また本発明は、上記構成の空気調和機において、前記室内通信部及び前記室外通信部は、前記監視要求の受領を示すデータを送信した後に、前記運転状況データを付加した前記駆動用データを送信することを特徴としている。この構成によると、室内ユニットまたは室外ユニットは監視要求を受信すると監視要求の受領を示すデータを送信する。外部機器は監視要求の受領を示すデータを受信すると監視要求を停止し、受信待機状態になる。
【００１９】
また本発明は、上記構成の空気調和機において、異常発生時に第１記憶部に記憶済の前記運転状況データを第２記憶部に書き込むとともに、所定期間前記運転状況データを取得して第２記憶部に書き込むことを特徴としている。
【００２０】
この構成によると、空気調和機の異常が発生すると、第１記憶部に記憶された運転状況データが第２記憶部に書き込まれる。また、新たに所定期間取得された運転状況データが第２記憶部に書き込まれる。空気調和機は読み出し要求を受信すると第２記憶部に記憶された運転状況データを駆動用データに付加して室内通信部または室外通信部から送信する。これにより、異常が発生した直前及び直後の運転状況データが外部機器によって取得される。
【００２１】
また本発明の空気調和機システムは、上記各構成の空気調和機と、前記外部機器を構成するパーソナルコンピュータとを備えたことを特徴としている。
【発明の効果】
【００２２】
本発明によると、室内通信部の第１通信端子と室外通信部の第２通信端子との間で検知データや制御データから成る駆動用データを送受信して空気調和機を駆動する。室内ユニット及び室外ユニットの運転状況データは随時第１記憶部に記憶されて更新され、異常が発生すると第１記憶部に記憶済の運転状況データが第２記憶部に書き込まれる。そして、第１通信端子または第２通信端子に通信線と重複して接続される外部機器から運転状況データの読出し要求があった際に、第２記憶部に記憶された運転状況データを駆動用データに付加して送信する。これにより、異常発生直前の運転状況データを外部機器から取得することができ、異常の内容や原因を迅速に把握してメンテナンスを容易に行うことができる。また、サービス用外部端子を別途設ける必要がなく、空気調和機のコストを削減することができる。
【図面の簡単な説明】
【００２３】
【図１】本発明の実施形態の空気調和機システムを示す構成図
【図２】本発明の実施形態の空気調和機の構成を示すブロック図
【図３】本発明の実施形態の空気調和機の室内ユニットの動作を示すフローチャート
【図４】本発明の実施形態の空気調和機の室内ユニットの動作を示すフローチャート
【図５】本発明の実施形態の空気調和機の室内ユニット及び室内ユニットの異常発生時の動作を示すフローチャート
【図６】本発明の実施形態の空気調和機の通常運転時のＲＡＭ及びＲＯＭのデータ配置を示す図
【図７】本発明の実施形態の空気調和機の異常発生時のＲＡＭ及びＲＯＭのデータ配置を示す図
【発明を実施するための形態】
【００２４】
以下に本発明の実施形態を図面を参照して説明する。図１は一実施形態の空気調和機を備えた空気調和機システムの構成図を示している。空気調和機１は室内に配される室内ユニット１０と室外に配される室外ユニット３０とを備えたスプリット型に構成される。室内ユニット１０と室外ユニット３０とは冷媒が流通する冷媒管８により接続され、冷媒の流通によって冷凍サイクルが運転される。
【００２５】
室内ユニット１０には室内制御装置１１が設けられ、室外ユニット２０には室外制御装置３１が設けられる。室内制御装置１１に設けた室内通信部１３（図２参照）の第１通信端子１３ａと室外制御装置３１に設けた室外通信部３３（図２参照）の第２通信端子３３ａとは通信線６で接続される。通信線６は一本の信号線により形成され、シリアル通信により駆動用データを互いに送受信する。駆動用データは詳細を後述するように、室内ユニット１０から送信される室外ユニット３０の制御データや、室外ユニット３０から送信される各種センサの検知データから成っている。
【００２６】
また、第１通信端子１３ａ及び第２通信端子３３ａには通信線６と重複して接続される通信線３によって外部機器であるパーソナルコンピュータ２を接続することができる。空気調和機１及びパーソナルコンピュータ２によって空気調和機１の運転状況を把握してメンテナンスを行う空気調和機システムが構成される。尚、通信線３を第１通信端子１３ａに接続してもよく、第２通信端子３３ａに接続してもよい。
【００２７】
図２は空気調和機１の構成を示すブロック図である。室内ユニット１０の室内制御装置１１にはシステムバス１７で互いに接続されたＣＰＵ１２、室内通信部１３、ＲＯＭ１４、ＲＡＭ１５及び入出力回路１６が設けられる。入出力回路１６には熱交温度センサ２１、室内温度センサ２２、運転ＬＥＤ２３、ファンモータ２４、ルーバモータ２５が接続される。
【００２８】
室外ユニット３０の室外制御装置３１は室内制御装置１１と同様に構成され、システムバス３７で互いに接続されたＣＰＵ３２、室外通信部３３、ＲＯＭ３４、ＲＡＭ３５及び入出力回路３６が設けられる。入出力回路３６には吐出温度センサ４１、外気温度センサ４２、コンプレッサ４３、ファンモータ４４、四方弁４５が接続される。
【００２９】
ＣＰＵ１２は室内ユニット１０の各部を制御するとともに室外ユニット３０の各部を制御するための制御データを作成する。ＣＰＵ３２はＣＰＵ１２で作成された制御データに基づいて室外ユニット３０の各部を制御する。室内通信部１３及び室外通信部３３は第１、第２通信端子１３ａ、３３ａに接続される通信線６を介してシリアル通信を行う。また、室内通信部１３及び室外通信部３３には通信線６と一体に束ねられる電源線７が接続され、室内ユニット１０から室外ユニット３０の各部に電力が供給される。
【００３０】
ＲＯＭ１４、３４（第２記憶部）はフラッシュメモリ等の書き換え可能な不揮発性のメモリから成り、制御プログラムを格納する。ＲＡＭ１５、３５（第１記憶部）はＣＰＵ１２、３２による演算の一時記憶を行う。
【００３１】
また、ＲＡＭ１５、３５には空気調和機１の運転状況を示す運転状況データが記憶される。運転状況データは各種の検知データや制御データに含まれ、例えば、室内温度、室内熱交換器の温度、外気温度、コンプレッサ４３の吐出温度、コンプレッサ４３の運転周波数等のデータから成る。運転状況データはＲＡＭ１５、３５の容量に応じて所定周期で所定期間分だけ記憶され、古いデータから順に随時更新される。
【００３２】
熱交温度センサ２１は室内ユニット１０に設けられる室内熱交換器（不図示）の温度を検知する。室内温度センサ２２は室内温度を検知する。運転ＬＥＤ２３は空気調和機１の駆動時に点灯される。ファンモータ２４は室内ユニット１０に設けられる送風ファン（不図示）を駆動する。ルーバモータ２５は室内ユニット１０の吹出口（不図示）に配されたルーバ（不図示）を駆動し、吹出口から送出される気流の風向を可変する。
【００３３】
外気温度センサ４２は外気温度を検知する。コンプレッサ４３は室外ユニット３０に設けられ、コンプレッサ４３の駆動によって冷媒管８に冷媒が流通して冷凍サイクルが運転される。吐出温度センサ４１はコンプレッサ４３から吐出される冷媒の温度（吐出温度）を検知する。ファンモータ４４は室外ユニット３０に設けられる送風ファン（不図示）を駆動する。四方弁４５は暖房運転と冷房運転とを切り換える。
【００３４】
図３は室内ユニット１０の動作を示すフローチャートである。また、図４は室外ユニット３０の動作を示すフローチャートである。室内ユニット１０と室外ユニット３０とは同様の動作を行うので並行して説明する。両者の動作の主な相違点は、室外ユニット３０は受信待機状態で所定周期のデータ検知時期になると各センサによるデータ検知を行って室内ユニット１０に送信する。室内ユニット１０は受信待機状態で室外ユニット３０から送られた検知データを受信して制御データを室外ユニット３０に送信する。
【００３５】
空気調和機１の運転が開始されると室内ユニット１０はステップ＃１１でフラグＦ１が初期化され、室外ユニット３０はステップ＃５１でフラグＦ２が初期化される。フラグＦ１、Ｆ２は通常の運転時に初期化して０が代入される。パーソナルコンピュータ２から運転状況データの読み出し要求があるとフラグＦ１、Ｆ２には１が代入される。パーソナルコンピュータ２から空気調和機１の監視要求があるとフラグＦ１、Ｆ２には２が代入される。
【００３６】
ステップ＃１２、＃５２では異常が発生したか否かが判別される。異常が発生した場合はステップ＃１３、＃５３で後述する異常時処理に移行する。異常が発生していない場合に室内ユニット１０はステップ＃１５で室内通信部１３がデータを受信したか否かが判断される。室内通信部１３がデータを受信していない場合はステップ＃１２〜＃１５が繰り返し行われ、受信待機状態になる。
【００３７】
異常が発生していない場合に室外ユニット３０はステップ＃５４でデータの検知時期か否かが判断される。各種センサによるデータは空気調和機１の始動時や所定の周期で検知され、データの検知時期になるとステップ＃７２に移行する。そして、後述するようにステップ＃７９で検知データから成る駆動用データを送信する。データの検知時期でない場合に室外ユニット３０はステップ＃５５で室外通信部３３がデータを受信したか否かが判断される。室外通信部３３がデータを受信していない場合はステップ＃５２〜＃５５が繰り返し行われ、受信待機状態になる。
【００３８】
室内通信部１３が通信線６または通信線３を介してデータを受信するとステップ＃１６に移行する。室外通信部３３が通信線６または通信線３を介してデータを受信するとステップ＃５６に移行する。
【００３９】
ステップ＃１６、＃５６ではそれぞれフラグＦ１、Ｆ２が０か否かが判断される。フラグＦ１、Ｆ２が０でない場合はステップ＃３１、＃７１に移行する。フラグＦ１、Ｆ２が０の場合はステップ＃１７、＃５７に移行し、受信したデータがパーソナルコンピュータ２からの空気調和機１の監視要求か否かが判断される。監視要求の場合はステップ＃１９、＃５９でフラグＦ１、Ｆ２に２が代入され、ステップ＃２１、＃６１に移行する。
【００４０】
監視要求でない場合はステップ＃１８、＃５８に移行し、受信したデータがパーソナルコンピュータ２からの運転状況データの読み出し要求か否かが判断される。読み出し要求の場合はステップ＃２０、＃６０でそれぞれフラグＦ１、Ｆ２に１が代入され、ステップ＃２１、＃６１に移行する。
【００４１】
ステップ＃２１、＃６１では監視要求または読み出し要求の受領済を示すフラグを設定した通信データが室内通信部１３または室外通信部３３から送信される。そして、ステップ＃１２、＃５２にそれぞれ戻る。パーソナルコンピュータ２は受領済を示す通信データを室内通信部１３及び室外通信部３３から受信すると監視要求または読み出し要求を停止し、受信を待機する。
【００４２】
室内ユニット１０では受信したデータが読み出し要求でない場合は室外ユニット３０から送信された検知データから成る駆動用データであるのでステップ＃３１に移行する。ステップ＃３１では室内ユニット１０の各種センサによる検知データが取得される。ステップ＃３２では室内ユニット１０の検知データ及び室外ユニット３０の検知データに基づいて、室内ユニット１０の各部が制御される。ステップ＃３３では室内ユニット１０の検知データ及び制御データから取得される運転状況データがＲＡＭ１５に記憶される。
【００４３】
室外ユニット３０では受信したデータが読み出し要求でない場合は室内ユニット１０から送信された制御データから成る駆動用データであるのでステップ＃７１に移行する。ステップ＃７１では室内ユニット１０から送られた制御データから成る駆動用データに基づいて、室外ユニット３０の各部が制御される。そして、ステップ＃５２に戻る。これにより、空気調和機１が運転される。
【００４４】
また、ステップ＃５４の判断でデータ検知時期になると、ステップ＃７２で室外ユニット３０の各種センサによる検知データが取得される。ステップ＃７３では室外ユニット３０の検知データ及び制御データから取得される運転状況データがＲＡＭ３５に記憶される。
【００４５】
ステップ＃３４、＃７４ではフラグＦ１、Ｆ２が判別される。フラグＦ１、Ｆ２が０の場合はそれぞれステップ＃３９、＃７９に移行する。
【００４６】
ステップ＃３９では室外ユニット３０の制御データから成る駆動用データが室内通信部１３から送信される。これにより、前述のステップ＃７１で室外ユニット３０が制御される。そして、ステップ＃１２に戻り、ステップ＃１２〜＃３９が繰り返される間にステップ＃３３で運転状況データが所定周期でＲＡＭ１５に蓄積される。
【００４７】
また、ステップ＃７９では室外ユニット３０の検知データから成る駆動用データが室外通信部３３から送信される。これにより、前述のステップ＃１５で室内ユニット１０が駆動用データを受信し、室内ユニット１０が制御される（ステップ＃３２）とともに室外ユニット３０の制御データが送信される（ステップ＃３９）。そして、ステップ＃５２に戻り、ステップ＃５２〜＃７９が繰り返される間にステップ＃７３で運転状況データが所定周期でＲＡＭ３５に蓄積される。
【００４８】
図６はこの時のＲＡＭ１５及びＲＯＭ１４のデータ配置を示す図である。ＲＡＭ１５には通信データが一時記憶されるとともに、所定周期（時刻ｔ０、ｔ１、ｔ２、・・・）で運転状況データがＲＡＭ１５の容量に応じて所定期間分だけ保存される。ＲＯＭ１４には制御プログラムが格納される。尚、ＲＡＭ３５、ＲＯＭ３４も同様のデータ配置になっている。
【００４９】
ステップ＃３５〜＃３８及びステップ＃７５〜＃７８については後述する。
【００５０】
図５は異常時処理の動作を示すフローチャートを示している。図３、図４のステップ＃１３、＃５３で異常時処理に移行すると、ステップ＃９１で異常状態を示すデータが室内送信部１３または室外送信部３３から送信される。これにより、室内ユニット１０で発生した異常を室外ユニット３０で認識することができ、室外ユニット３０で発生した異常を室内ユニット１０で認識することができる。
【００５１】
ステップ＃９２では図７に示すように、ＲＡＭ１５、３５に記憶済の運転状況データがそれぞれＲＯＭ１４、３４にコピーして書き込まれる。これにより、異常発生直前の運転状況データが不揮発性のＲＯＭ１４、３４に格納される。
【００５２】
ステップ＃９３では異常発生後に所定期間継続して運転状況データが所定周期で取得され、ＲＡＭ１５、３５に書き込まれる。ステップ＃９４では異常発生後に取得した運転状況データがＲＡＭ１５、３５からＲＯＭ１４、３４にコピーして書き込まれる。これにより、異常発生直後の所定期間の運転状況データが不揮発性のＲＯＭ１４、３４に格納される。この時、取得された運転状況データをＲＯＭ１４、３４に直接書き込んでもよい。そして、図３、図４のフローチャートに戻る。
【００５３】
図３のステップ＃３４及び図４のステップ＃７４の判断でフラグＦ１、Ｆ２が１の場合はステップ＃３５、＃７５に移行する。ステップ＃３５、＃７５ではそれぞれＲＯＭ１４、３４から運転状況データが読み出される。ステップ＃３６、＃７６ではフラグＦ１、Ｆ２にそれぞれ２が代入される。ステップ＃３８、＃７８ではＲＯＭ１４、３４から運転状況データが駆動用データに付加される。
【００５４】
ステップ＃３４及びステップ＃７４の判断でフラグＦ１、Ｆ２が２の場合はステップ＃３７、＃７７に移行する。ステップ＃３７、＃７７ではそれぞれＲＡＭ１５、３５から運転状況データが読み出される。ステップ＃３８、＃７８ではＲＡＭ１５、３５から運転状況データが駆動用データに付加される。
【００５５】
そして、ステップ＃３９で室内通信部１３から運転状況データを付加した制御データから成る駆動用データが送信される。また、ステップ＃７９で室外通信部３３から運転状況データを付加した検知データから成る駆動用データが送信される。
【００５６】
これにより、室内ユニット１０及び室外ユニット３０は受信した通信データから駆動用データを取り出して空気調和機１の運転を継続する。この時、フラグＦ１、Ｆ２が２であるため、運転状況データを付加した駆動用データの送信が継続される。また、パーソナルコンピュータ２は受信した通信データから運転状況データを取り出して運転状況を監視できるとともに、異常発生時の状況を把握することができる。
【００５７】
尚、ステップ＃３６、＃７６でフラグＦ１、Ｆ２にそれぞれ２が代入される。このため、ＲＯＭ１４、３４から異常発生時の運転状況データが読み出された後はＲＡＭ１５、３５から運転中の運転状況データが読み出されて駆動用データに付加され、運転状況が監視される。
【００５８】
本実施形態によると、室内通信部１３の第１通信端子１３ａと室外通信部３３の第２通信端子３３ａとの間で検知データ及び制御データから成る駆動用データを送受信して空気調和機１を駆動する。室内ユニット１０及び室外ユニット３０の運転状況データは随時ＲＡＭ１５、３５（第１記憶部）に記憶されて更新され、異常が発生するとＲＡＭ１５、３５に記憶済の運転状況データがＲＯＭ１４、３４（第２記憶部）に書き込まれる。
【００５９】
そして、第１通信端子１３ａまたは第２通信端子３３ａに通信線６と重複して接続されるパーソナルコンピュータ２から運転状況データの読出し要求があった際に、ＲＯＭ１４、３４に記憶された運転状況データを駆動用データに付加して送信する。これにより、異常発生直前の運転状況データをパーソナルコンピュータ２から取得することができ、異常の内容や原因を迅速に把握してメンテナンスを容易に行うことができる。また、従来例のようなサービス用外部端子を別途設ける必要がなく、空気調和機１のコストを削減することができる。
【００６０】
また、第１通信端子１３ａまたは第２通信端子３３ａに接続されるパーソナルコンピュータ２から監視要求があった際に、ＲＡＭ１５、３５に記憶された運転状況データを駆動用データに付加して室内通信部１３及び室外通信部３３から送信する。これにより、空気調和機１を運転しながらパーソナルコンピュータ２によって空気調和機１の運転状況データが随時取得され、運転状況を容易に監視することができる。従って、異常な運転状況で空気調和機１を駆動して異常状態をより正確に把握することができる。
【００６１】
また、室内通信部１３及び室外通信部３３は読み出し要求または監視要求の受領を示すデータを送信した後に、運転状況データを付加した駆動用データを送信する。このため、パーソナルコンピュータ２は読み出し要求または監視要求の受領を示すデータを受信して読み出し要求または監視要求を停止して受信を待機することができる。これにより、シリアル通信によって容易に運転状況データをパーソナルコンピュータ２により受信することができる。
【００６２】
また、異常発生時にＲＡＭ１５、３５に記憶済の運転状況データをＲＯＭ１４、３４に書き込むとともに、所定期間だけ運転状況データを取得してＲＯＭ１４、３４に書き込むので、異常が発生した直前及び直後の運転状況データをパーソナルコンピュータ２により取得することができる。
【００６３】
本実施形態において、室内ユニット１０の運転状況データをＲＡＭ１５及びＲＯＭ１４に記憶し、室外ユニット３０の運転状況データをＲＡＭ３５及びＲＯＭ３４に記憶している。ＲＡＭ（第１記憶部）やＲＯＭ（第２記憶部）を室内ユニット１０及び室外ユニット３０の一方に設け、他方の運転状況データを通信により取得して記憶してもよい。この時、運転状況データを付加した駆動用データは室内通信部１３または室外通信部３３の一方から送信される。
【００６４】
また、通信線３により接続される外部機器であるパーソナルコンピュータ２を専用の診断装置にしてもよい。しかし、汎用のパーソナルコンピュータ２を用いることで安価に運転状況データを取得することができる。
【産業上の利用可能性】
【００６５】
本発明によると、室内ユニットと室外ユニットとを備えた空気調和機に利用することができる。
【符号の説明】
【００６６】
１    空気調和機
２    パーソナルコンピュータ
３、６  通信線
７    電源線
８    冷媒管
１０    室内ユニット
１１    室内制御装置
１２、３２  ＣＰＵ
１３    室内通信部
１３ａ  第１通信端子
１４、３４  ＲＯＭ
１５、３５  ＲＡＭ
１６、３６  入出力回路
２１    熱交温度センサ
２２    室内温度センサ
２３    運転ＬＥＤ
２４、４４  ファンモータ
２５    ルーバモータ
３０    室外ユニット
３１    室外制御装置
３３    室外通信部
３３ａ  第２通信端子
４１    吐出温度センサ
４２    外気温度センサ
４３    コンプレッサ
４５    四方弁
【図１】
2011242085.tif 000003
【図２】
2011242085.tif 000004
【図３】
2011242085.tif 000005
【図４】
2011242085.tif 000006
【図５】
2011242085.tif 000007
【図６】
2011242085.tif 000008
【図７】
2011242085.tif 000009